(57)【要約】【課題】電子回路の寿命低下及び消費電力の増大をそれぞれ抑制しながら、各表示用領域における表示色の劣化を抑制できる反射型表示装置の駆動方法を提供する。【解決手段】第２色から第１色に表示色を切り替える表示用領域に対応する表示用電極には、第１電位を第１時間長だけ接続し、その後第２電位を接続し、第１色から第２色に表示色を切り替える表示用領域に対応する表示用電極には、第２電位に対して第１電位とは逆極性の第３電位を第２時間長だけ接続し、その後第２電位を接続し、第１色の表示色をそのまま保持する表示用領域に対応する表示用電極には、第１電位を第１時間長の５％〜３０％の時間長だけ接続し、その後第２電位を接続し、第２色の表示色をそのまま保持する表示用領域に対応する表示用電極には、第３電位を第２時間長の５％〜３０％の時間長だけ接続し、その後第２電位を接続する。【選択図】図４
2015169902.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間には、複数の表示用領域を覆う１つまたは２つ以上の共通電極と、前記表示媒体が配置された表示媒体層と、前記複数の表示用領域の各々に対応する複数の表示用電極とが、前記一方の基板側から前記他方の基板側に向かって当該順序で設けられており、
前記１つまたは２つ以上の共通電極は、第２電位を接続されており、
前記複数の表示用領域の各々は、当該表示用領域に対応する表示用電極に印加される電圧の極性に応じて、第１色および第２色のうちいずれか一方の表示色を選択的に表示可能である、という反射型表示装置を駆動する方法であって、
第２色から第１色に表示色を切り替える表示用領域に対応する表示用電極には、前記第２電位とは異なる第１電位を第１時間長だけ接続し、その後前記第２電位を接続し、
第１色から第２色に表示色を切り替える表示用領域に対応する表示用電極には、前記第２電位に対して前記第１電位とは逆極性の第３電位を第２時間長だけ接続し、その後前記第２電位を接続し、
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続する
ことを特徴とする反射型表示装置の駆動方法。
【請求項２】
表示書き換えタイミングにおいて、一斉に、
第２色から第１色に表示色を切り替える表示用領域に対応する表示用電極には、前記第１電位を前記第１時間長だけ接続し、その後前記第２電位を接続し、
第１色から第２色に表示色を切り替える表示用領域に対応する表示用電極には、前記第３電位を前記第２時間長だけ接続し、その後前記第２電位を接続し、
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続する
ことを特徴とする請求項１に記載の反射型表示装置の駆動方法。
【請求項３】
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続する、
という電圧印加が、次の表示書き換えタイミングまで所定の周期で繰り返される
ことを特徴とする請求項１または２に記載の反射型表示装置の駆動方法。
【請求項４】
前記所定の周期は、３０ｍｉｎ〜１８０ｍｉｎである
ことを特徴とする請求項３に記載の反射型表示装置の駆動方法。
【請求項５】
第１色の表示色をそのまま保持する表示用領域に対応する表示用電極には、前記第１電位を前記第１時間長の５％〜２０％の時間長だけ接続し、その後前記第２電位を接続し、
第２色の表示色をそのまま保持する表示用領域に対応する表示用電極には、前記第３電位を前記第２時間長の５％〜２０％の時間長だけ接続し、その後前記第２電位を接続する
ことを特徴とする請求項１乃至４のいずれかに記載の反射型表示装置の駆動方法。
【請求項６】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間に設けられ、前記表示媒体が配置された表示媒体層と、
前記一方の基板の前記表示媒体側の面に設けられ、複数の表示用領域を覆う１つまたは２つ以上の共通電極と、
前記他方の基板の前記表示媒体側の面に設けられ、前記複数の表示用領域の各々に対応する複数の表示用電極と、
各表示用電極にそれぞれ電圧を印加する電圧印加制御部と、
を備え、
前記１つまたは２つ以上の共通電極は、第２電位を接続されており、
前記複数の表示用領域の各々は、当該表示用領域に対応する表示用電極に印加される電圧の極性に応じて、第１色および第２色のうちいずれか一方の表示色を選択的に表示可能であり、
前記電圧印加制御部は、
第２色から第１色に表示色を切り替える表示用領域に対応する表示用電極には、前記第２電位とは異なる第１電位を第１時間長だけ接続し、その後前記第２電位を接続し、
第１色から第２色に表示色を切り替える表示用領域に対応する表示用電極には、前記第２電位に対して前記第１電位とは逆極性の第３電位を第２時間長だけ接続し、その後前記第２電位を接続し、
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続するようになっている
ことを特徴とする反射型表示装置。
【請求項７】
前記電圧印加制御部は、表示書き換えタイミングにおいて、一斉に、
第２色から第１色に表示色を切り替える表示用領域に対応する表示用電極には、前記第１電位を前記第１時間長だけ接続し、その後前記第２電位を接続し、
第１色から第２色に表示色を切り替える表示用領域に対応する表示用電極には、前記第３電位を前記第２時間長だけ接続し、その後前記第２電位を接続し、
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続するようになっている
ことを特徴とする請求項６に記載の反射型表示装置。
【請求項８】
前記電圧印加制御部は、
第１色の表示色をそのまま保持する表示用領域に対応する表示用電極には、前記第１電位を前記第１時間長の５％〜３０％の時間長だけ接続し、その後前記第２電位を接続し、
第２色の表示色をそのまま保持する表示用領域に対応する表示用電極には、前記第３電位を前記第２時間長の５％〜３０％の時間長だけ接続し、その後前記第２電位を接続する、
という電圧印加を、次の表示書き換えタイミングまで所定の周期で繰り返すようになっている
ことを特徴とする請求項６または７に記載の反射型表示装置。
【請求項９】
前記所定の周期は、３０ｍｉｎ〜１８０ｍｉｎである
ことを特徴とする請求項８に記載の反射型表示装置。
【請求項１０】
前記電圧印加制御部は、
第１色の表示色をそのまま保持する表示用領域に対応する表示用電極には、前記第１電位を前記第１時間長の５％〜２０％の時間長だけ接続し、その後前記第２電位を接続し、
第２色の表示色をそのまま保持する表示用領域に対応する表示用電極には、前記第３電位を前記第２時間長の５％〜２０％の時間長だけ印加し、その後前記第２電位を接続するようになっている
ことを特徴とする請求項６乃至９のいずれかに記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置の１つのタイプの構造をより詳しく説明すると、一方の基板と他方の基板との間には、複数の表示用領域を覆う１つまたは２つ以上の共通電極と、電気応答性材料を含む表示媒体が配置された表示媒体層と、複数の表示用領域の各々に対応する複数の表示用電極とが、一方の基板側から他方の基板側に向かって当該順序で設けられており、１つまたは２つ以上の共通電極は、ＧＮＤを接続されており、複数の表示用領域の各々は、当該表示用領域に対応する表示用電極に印加される電圧の極性に応じて、第１色および第２色のうちいずれか一方の表示色を共通電極側（視認側）に選択的に表示可能である。
【０００５】
具体的には、例えば、表示媒体中に正に帯電した黒色の電気応答性材料と負に帯電した白色の電気応答性材料とが含まれる場合、表示用電極に正電圧が印加されると、黒色の電気応答性材料及び白色の電気応答性材料にそれぞれ電気的な力が作用して、白色の電気応答性材料が表示用電極側に移動すると共に、黒色の電気応答性材料が共通電極側に移動する。これにより、表示用領域の共通電極側には黒色が表示される。一方、表示用電極に負電圧が印加されると、白色の電気応答性材料が共通電極側に移動すると共に、黒色の電気応答性材料が表示用電極側に移動する。これにより、表示用領域の共通電極側には白色が表示される。表示用電極にＧＮＤを接続されると（すなわち、表示用電極への電圧印加が停止されると）、黒色の電気応答性材料及び白色の電気応答性材料にそれぞれ作用していた電気的な力が消失するため、黒色の電気応答性材料及び白色の電気応答性材料は各々その場に静止する。これにより、表示用領域の表示色は保持される。
【０００６】
ところで、電気泳動表示装置の各表示用領域は、表示用電極への電圧印加が停止されても、前述のようにその表示色をある程度の期間に亘って維持することができるが、その表示色を永続的に維持することはできない。前述の例では、表示用電極への電圧印加が停止されると、共通電極側に位置する黒色の電気応答性材料（または白色の電気応答性材料）は重力等の影響により表示用電極側へと徐々に移動するため、共通電極側の表示色が時間と共に劣化していく（灰色がかっていく）。
【０００７】
特開２００７−２０６４７１号公報（特許文献１）には、電気泳動表示装置において、表示色を変更すべき表示用領域に対応する表示用電極には電圧を印加するが、表示色をそのまま保持すべき表示用領域に対応する表示用電極には電圧を印加しない、という方法が開示されている。しかしながら、この方法では、表示色をそのまま保持すべき表示用領域において表示色の劣化を抑制することができない。
【先行技術文献】
【特許文献】
【０００８】
【特許文献１】特開２００７−２０６４７１号公報
【発明の概要】
【発明が解決しようとする課題】
【０００９】
本件発明者は、当初、表示色を切り替えるべき表示用領域に対応する表示用電極だけでなく、表示色をそのまま保持すべき表示用領域に対応する表示用電極にも、同じ時間長で電圧を印加することで、各表示用領域の表示色の劣化を抑制できると考えた。しかしながら、この方法では、表示色をそのまま保持すべき表示用領域に過剰に電圧が印加されるため、電子回路の寿命が低下すると共に、消費電力が増大するという問題がある。
【００１０】
本発明は、このような問題点に着目してなされたものであり、その目的は、電子回路の寿命低下及び消費電力の増大をそれぞれ抑制しながら、各表示用領域における表示色の劣化を抑制できる反射型表示装置の駆動方法を提供することにある。また、本発明の目的は、そのような駆動方法に対応できる反射型表示装置を提供することにある。
【課題を解決するための手段】
【００１１】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間には、複数の表示用領域を覆う１つまたは２つ以上の共通電極と、前記表示媒体が配置された表示媒体層と、前記複数の表示用領域の各々に対応する複数の表示用電極とが、前記一方の基板側から前記他方の基板側に向かって当該順序で設けられており、前記１つまたは２つ以上の共通電極は、第２電位を接続されており、前記複数の表示用領域の各々は、当該表示用領域に対応する表示用電極に印加される電圧の極性に応じて、第１色および第２色のうちいずれか一方の表示色を選択的に表示可能である、という反射型表示装置を駆動する方法であって、第２色から第１色に表示色を切り替える表示用領域に対応する表示用電極には、前記第２電位とは異なる第１電位を第１時間長だけ接続し、その後前記第２電位を接続し、第１色から第２色に表示色を切り替える表示用領域に対応する表示用電極には、前記第２電位に対して前記第１電位とは逆極性の第３電位を第２時間長だけ接続し、その後前記第２電位を接続し、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続することを特徴とする反射型表示装置の駆動方法である。
【００１２】
本発明によれば、表示色をそのまま保持すべき表示用領域に対応する表示用電極に、他の表示色からその表示色に切り替えるために必要な電圧印加の時間長の５％〜３０％の時間長だけ電圧を印加することで、電子回路の寿命低下及び消費電力の増大をそれぞれ抑制しながら、各表示用領域における表示色の劣化を抑制できる。
【００１３】
好ましくは、表示色書き換えタイミングにおいて、一斉に、第２色から第１色に表示色を切り替える表示用領域に対応する表示用電極には、前記第１電位を前記第１時間長だけ接続し、その後前記第２電位を接続し、第１色から第２色に表示色を切り替える表示用領域に対応する表示用電極には、前記第３電位を前記第２時間長だけ接続し、その後前記第２電位を接続し、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続する。このような態様によれば、表示書き換えタイミングにおいて、各表示用領域に一斉に本来の表示色が表示され得る。これにより、反射型表示装置における表示状態（表示画像）の全体的な劣化を効果的に抑制することができる。
【００１４】
もっとも、各表示用領域毎に時間差を設けて前記電圧印加を実施してもよい。
【００１５】
また、好ましくは、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続する、という電圧印加が、次の表示書き換えタイミングまで所定の周期で繰り返される。このような態様によれば、反射型表示装置における表示状態（表示画像）の全体的な劣化を次の表示書き換えタイミングまで効果的に抑制することができる。具体的には、例えば、前記所定の周期は、３０ｍｉｎ〜１８０ｍｉｎである。
【００１６】
また、好ましくは、第１色の表示色をそのまま保持する表示用領域に対応する表示用電極には、前記第１電位を前記第１時間長の５％〜２０％の時間長だけ接続し、その後前記第２電位を接続し、第２色の表示色をそのまま保持する表示用領域に対応する表示用電極には、前記第３電位を前記第２時間長の５％〜２０％の時間長だけ接続し、その後前記第２電位を接続する。
【００１７】
このような態様によれば、表示色の劣化を抑制できない表示用領域が１％ほど生じるものの、電子回路の寿命低下及び消費電力の増大をそれぞれ更に１０％ほど抑制することができる。
【００１８】
また、本発明は、前記のような駆動方法に対応できる反射型表示装置である。すなわち、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間に設けられ、前記表示媒体が配置された表示媒体層と、前記一方の基板の前記表示媒体側の面に設けられ、複数の表示用領域を覆う１つまたは２つ以上の共通電極と、前記他方の基板の前記表示媒体側の面に設けられ、前記複数の表示用領域の各々に対応する複数の表示用電極と、各表示用電極にそれぞれ電圧を印加する電圧印加制御部と、を備え、前記１つまたは２つ以上の共通電極は、第２電位を接続されており、前記複数の表示用領域の各々は、当該表示用領域に対応する表示用電極に印加される電圧の極性に応じて、第１色および第２色のうちいずれか一方の表示色を選択的に表示可能であり、前記電圧印加制御部は、第２色から第１色に表示色を切り替える表示用領域に対応する表示用電極には、前記第２電位とは異なる第１電位を第１時間長だけ接続し、その後前記第２電位を接続し、第１色から第２色に表示色を切り替える表示用領域に対応する表示用電極には、前記第２電位に対して前記第１電位とは逆極性の第３電位を第２時間長だけ接続し、その後前記第２電位を接続し、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続するようになっていることを特徴とする反射型表示装置である。
【００１９】
本発明によれば、表示色をそのまま保持すべき表示用領域に対応する表示用電極に、他の表示色からその表示色に切り替えるために必要な電圧印加の時間長の５％〜３０％の時間長だけ電圧を印加することで、電子回路の寿命低下及び消費電力の増大をそれぞれ抑制しながら、各表示用領域における表示色の劣化を抑制できる。
【００２０】
好ましくは、前記電圧印加制御部は、表示書き換えタイミングにおいて、一斉に、第２色から第１色に表示色を切り替える表示用領域に対応する表示用電極には、前記第１電位を前記第１時間長だけ接続し、その後前記第２電位を接続し、第１色から第２色に表示色を切り替える表示用領域に対応する表示用電極には、前記第３電位を前記第２時間長だけ接続し、その後前記第２電位を接続し、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続するようになっている。このような態様によれば、表示書き換えタイミングにおいて、各表示用領域に一斉に本来の表示色が表示され得る。これにより、反射型表示装置における表示状態（表示画像）の全体的な劣化を効果的に抑制することができる。
【００２１】
もっとも、前記電圧印加制御部は、各表示用領域毎に時間差を設けて前記電圧印加を実施するようになっていてもよい。
【００２２】
また、好ましくは、前記電圧印加制御部は、第１色の表示色をそのまま保持する表示用領域に対応する表示用電極には、前記第１電位を前記第１時間長の５％〜３０％の時間長だけ接続し、その後前記第２電位を接続し、第２色の表示色をそのまま保持する表示用領域に対応する表示用電極には、前記第３電位を前記第２時間長の５％〜３０％の時間長だけ接続し、その後前記第２電位を接続する、という電圧印加を、次の表示書き換えタイミングまで所定の周期で繰り返すようになっている。このような態様によれば、反射型表示装置における表示状態（表示画像）の全体的な劣化を次の表示書き換えタイミングまで効果的に抑制することができる。具体的には、例えば、前記所定の周期は、３０ｍｉｎ〜１８０ｍｉｎである。
【００２３】
また、好ましくは、前記電圧印加制御部は、第１色の表示色をそのまま保持する表示用領域に対応する表示用電極には、前記第１電位を前記第１時間長の５％〜２０％の時間長だけ接続し、その後前記第２電位を接続し、第２色の表示色をそのまま保持する表示用領域に対応する表示用電極には、前記第３電位を前記第２時間長の５％〜２０％の時間長だけ印加し、その後前記第２電位を接続するようになっている。このような態様によれば、表示色の劣化を抑制できない表示用領域が１％ほど生じるものの、電子回路の寿命低下及び消費電力の増大をそれぞれ更に１０％ほど抑制することができる。
【発明の効果】
【００２４】
本発明による反射型表示装置の駆動方法によれば、表示色をそのまま保持すべき表示用領域に対応する表示用電極に、他の表示色からその表示色に切り替えるために必要な電圧印加の時間長の５％〜３０％の時間長だけ電圧を印加することで、電子回路の寿命低下及び消費電力の増大をそれぞれ抑制しながら、各表示用領域における表示色の劣化を抑制できる。
【００２５】
また、本発明による反射側表示装置によれば、電圧印加制御部が、表示色をそのまま保持すべき表示用領域に対応する表示用電極に、他の表示色からその表示色に切り替えるために必要な電圧印加の時間長の５％〜３０％の時間長だけ電圧を印加することで、電子回路の寿命低下及び消費電力の増大をそれぞれ抑制しながら、各表示用領域における表示色の劣化を抑制できる。
【図面の簡単な説明】
【００２６】
【図１】図１は、本発明の一実施の形態による反射型表示装置の構成を概略的に示す平面図である。
【図２】図２は、図１に示す反射型表示装置におけるＡ−Ａ線切断断面図である。
【図３】図３（ａ）〜図３（ｄ）は、それぞれ、図１に示す反射型表示装置に表示される表示画像の一例を示す概略図である。
【図４】図４は、図３（ａ）〜図３（ｄ）に示す表示画像をこの順序で書き換える際に、各表示用電極に印加される電圧の波形を示す概略図である。
【図５】図５は、第１時間長に対する２回目の第１電位の接続時間長の割合と、本来の表示色（黒色）を回復した表示領域の数と、の関係を示すグラフである。
【図６】図６は、第２時間長に対する２回目の第３電位の接続時間長の割合と、本来の表示色（白色）を回復した表示領域の数と、の関係を示すグラフである。
【発明を実施するための形態】
【００２７】
以下に、添付の図面を参照して、本発明の実施の形態を詳細に説明する。
【００２８】
図１は、本発明の一実施の形態による反射型表示装置の構成を概略的に示す平面図である。図２は、図１に示す反射型表示装置におけるＡ−Ａ線切断断面図である。
【００２９】
図１及び図２に示すように、本実施の形態による反射型表示装置１０は、少なくとも一方が透光性を有しており各々電極１１１または１６１ａ〜１６１ｄが形成されている対向する２枚の基板１１、１６間に少なくとも１種以上の電気応答性材料を含む表示媒体１３が封入されていて、前記２枚の基板１１、１６間に所定の電界が与えられる際に所望の表示をするようになっている。ここで、本件の明細書及び特許請求の範囲において「透光性」とは、光を通過する性質、という程度の意味である。本実施の形態においては、視認側に配置される基板は、全光透過率が５０％以上、好ましくは８０％以上、さらに好ましくは９０％以上となるような透光性を有している。
【００３０】
本実施の形態においては、図２に示すように、一方の基板１１と他方の基板１６との間には、複数（図示された例では４つ）の表示用領域１５ａ〜１５ｄを覆う１つまたは２つ以上（図示された例では１つ）の共通電極１１１と、表示媒体１３が配置された表示媒体層と、複数の表示用領域１５ａ〜１５ｄの各々に対応する複数（図示された例では４つ）の表示用電極１６１ａ〜１６１ｄとが、一方の基板１１側から他方の基板１６側に向かって当該順序で設けられている。ここで「表示用領域」とは、反射型表示装置１０において所望の表示に利用される領域、という意味である。
【００３１】
本実施の形態では、図２に示すように、一方の基板１１が視認側に配置され、他方の基板１６が非視認側に配置される。
【００３２】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１１１として、酸化インジウムスズ（ＩＴＯ）、酸化亜鉛（ＺｎＯ）、酸化スズ（ＳｎＯ）等の透光性電極を付したものが、典型的に用いられる。本実施の形態の共通電極１１１は、セグメント駆動用の共通電極として形成されている。
【００３３】
共通電極１１１は、塗工法やスパッタリング法、真空蒸着法、ＣＶＤ法等によって、少なくとも一方の基板１１の複数の表示用領域１５ａ〜１５ｄを覆うように形成される。共通電極１１１は、必ずしもパターンが形成されている必要は無く、基板全面が電極であってもよい。
【００３４】
図２に示すように、共通電極１１１は、第２電位（例えば、ＧＮＤ）を接続されている。本実施の形態では、第２電位は、０Ｖである。
【００３５】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３６】
一方の基板１１上には、バリア層が設けられてもよい。バリア層の機能は、表示媒体層に水分が侵入することによる表示劣化を防止することである。バリア層は、一方の基板１１の表示媒体１３が配置される側の面（表示媒体１３側の面）に配置されてもよいし、当該表示媒体１３側の面とは反対側の面に設けられてもよい。また、バリア層は、一方の基板１１と共通電極１１１との間に設けられてもよい。本実施の形態では、一方の基板１１は視認側に配置されるため、バリア層は、透光性である必要がある。バリア層は、無機膜が一方の基板１１上に蒸着されることにより得られてもよいし、予めバリア層が形成されたフィルムが一方の基板１１上に貼り合わされることにより得られてもよい。
【００３７】
また、一方の基板１１の表示媒体１３側の面とは反対側の面に、紫外線カットフィルムまたは紫外線吸収層が設けられ得る。あるいは、一方の基板１１自体に紫外線吸収機能を持たせてもよい。
【００３８】
また、一方の基板１１の表示媒体１３側の面とは反対側の面に、その他の表面コート層として、防眩層（ＡＧ層）、傷防止層（ＨＣ層）、反射防止層（ＡＲ層）等が付加され得る。
【００３９】
一方の基板１１は、ロール状でもシート状でもどちらでも適用可能である。
【００４０】
他方の基板１６としては、樹脂フィルム、樹脂板、ガラス、エポキシガラス（ガラエポ）等の基材の表示媒体１３側の面に、金属等の導電性材料によって表示用電極１６１ａ〜１６１ｄが形成されたものが用いられ得る。本実施の形態の表示用電極１６１ａ〜１６１ｄは、セグメント駆動用のパターン状の電極（セグメント電極）として形成されている。図２に示すように、反射型表示装置１０における各表示用領域１５ａ〜１５ｄは、個々の表示用電極１６１ａ〜１６１ｄによって規定される。
【００４１】
他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、図２に示すように、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００４２】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になりし、コストも高くなるからである。破損しにくく取り扱いが容易である好適な厚みの範囲は、５０μｍ〜３００μｍ程度である。
【００４３】
他方の基板１６には、更なる機能層が付加され得る。例えば、他方の基板１６上に、バリアフィルムが貼付され得る。予め透明無機膜のバリア層が蒸着等で形成された透明フィルムや、金属膜などの透光性のないバリア層が形成されたフィルムが、他方の基板１６として採用されても、これと同様の機能を発揮できる。バリアフィルムないしバリア層は、他方の基板１６の表示媒体１３側の面（表示用電極１６１ａ〜１６１ｄ上）に設けられてもよいし、当該表示媒体１３側の面とは反対側の面に設けられてもよい。
【００４４】
また、他方の基板１６の表示媒体１３側の面とは反対側の面に、紫外線カットフィルムまたは紫外線吸収層が設けられ得る。あるいは、他方の基板１６自体に紫外線吸収機能を持たせてもよい。
【００４５】
他方の基板１６も、ロール状でもシート状でもどちらでも適用可能である
本実施の形態の表示媒体層は、一方の基板１１と他方の基板１６との間において複数のセルを区画する隔壁１２を有しており、各セル内に、表示媒体１３が配置されている。ここで、「セル」とは、電気応答性材料の沈降や偏在に起因する表示の不良、特にコントラストの低下を防止するべく２枚の基板１１、１６間において分割された、電気泳動する電気応答性材料の微小な泳動空間、すなわち移動空間を意味する。なお、当該移動空間は、マイクロカプセル等、他の構造物によって分割されてもよい。また、電気応答性材料の沈降や偏在のおそれが低い場合には、２枚の基板１１、１６間の空間は、このような構造物によって分割されていなくてもよい。
【００４６】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００４７】
隔壁１２の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点間の距離を意味している。
【００４８】
隔壁１２の高さは、５μｍ〜５０μｍ、好ましくは１０μｍ〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０μｍ〜５０μｍの範囲の高さが好適である。
【００４９】
隔壁１２の頂面と、他方の基板１６上の表示用電極１６１ａ〜１６１ｄまたは他方の基板１６上の他の要素または他方の基板１６と、の間には、隔壁１２の頂面と、他方の基板１６上の表示用電極１６１ａ〜１６１ｄまたは他方の基板１６上の他の要素または他方の基板１６と、を接着させるための接着層（不図示）が設けられていてもよい。
【００５０】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００５１】
接着層を形成するための接着剤としては、熱可塑性材料を用いた接着剤が好ましく、加熱により軟化して、冷却すると固化する性質を有し、冷却と加熱を繰り返した場合に、組成が可逆的に保たれる材料である。
【００５２】
接着剤として、具体的には、例えば、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００５３】
隔壁１２と接着剤との密着性を上げるために、隔壁１２に紫外線照射やプラズマ処理などにより表面処理が施されてもよいし、プライマーが形成されてもよい。あるいは、接着剤の方にシランカップリング剤が添加されてもよい。
【００５４】
表示媒体１３は、少なくとも１種以上の電気応答性材料を含んでいる。電気応答性材料としては、電荷粒子材料、液晶材料があり、電荷粒子材料には白色や黒色、カラーなどの色づけされた粒子が電界に応答して移動するいわゆる電気泳動材料、または、粒子が二色に色分けされ電界により回転するツイストボールに代表される材料、または、電界により移動するナノ粒子材料等がある。一方、液晶材料には、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。
【００５５】
本実施の形態においては、表示媒体１３は、分散媒と、当該分散媒に分散された白色の電気応答性材料及び黒色の電気応答性材料と、を含んでいる。黒色の電気応答性材料は、正に帯電されており、白色の電気応答性材料は、負に帯電されている。これにより、表示用電極１６１ａ〜１６１ｄの電位が共通電極１１１の電位よりも低くされると、正に帯電した黒色の電気応答性材料が、分散媒中を共通電極１１１の側に引き寄せられるように泳動し、負に帯電した白色の電気応答性材料が、分散媒中を表示用電極１６１ａ〜１６１ｄの側に引き寄せられるように泳動するようになっている。また、表示用電極１６１ａ〜１６１ｄの電位が共通電極１１１の電位よりも高くされると、正に帯電した黒色の電気応答性材料が、分散媒中を表示用電極１６１ａ〜１６１ｄの側に引き寄せられるように泳動し、負に帯電した白色の電気応答性材料が、分散媒中を共通電極１１１の側に引き寄せられるように泳動するようになっている。そして、このような白色及び黒色の電気応答性材料の泳動を制御することにより、反射型表示装置１０において、白色および黒色のうちいずれか一方の表示色を共通電極１１１側（すなわち、視認側）に選択的に表示できるようになっている。
【００５６】
図２に示すように、本実施の形態による反射型表示装置１０は、更に、各表示用電極１６１ａ〜１６１ｄにそれぞれ電圧を印加する電圧印加制御部１７を備えている。
【００５７】
本実施の形態の電圧印加制御部１７は、複数の出力端子と、ＧＮＤ端子と、を有している。各出力端子は、それぞれ異なる表示用電極１６１ａ〜１６１ｄに電気的に接続されており、ＧＮＤ端子は、ＧＮＤを接続されている。
【００５８】
本実施の形態の電圧印加制御部１７は、表示書き換えタイミングにおいて、一斉に、第２色から第１色に表示色を切り替えるべき表示用領域に対応する表示用電極には、第２電位とは異なる第１電位を第１時間長だけ接続し、その後第２電位を接続し、第１色から第２色に表示色を切り替えるべき表示用領域に対応する表示用電極には、第２電位に対して第１電位とは逆極性の第３電位を第２時間長だけ接続し、その後第２電位を接続し、第１色の表示色をそのまま保持すべき表示用領域に対応する表示用電極には、第１電位を第１時間長の５％〜３０％の時間長だけ接続し、その後第２電位を接続し、第２色の表示色をそのまま保持すべき表示用領域に対応する表示用電極には、第３電位を第２時間長の５％〜３０％の時間長だけ接続し、その後第２電位を接続するようになっている。
【００５９】
具体的には、例えば、電圧印加制御部１７は、表示書き換えタイミングにおいて、白色から黒色に表示色を切り替えるべき表示用領域に対応する表示用電極には、第１電位（＋１５Ｖ）を第１時間長（３００ｍｓ）だけ接続し、その後第２電位（０Ｖ）を接続するようになっている。表示用電極に第１電位が第１時間長だけ接続されることで、正に帯電した黒色の電気応答性材料が共通電極１１１側に移動すると共に、負に帯電した白色の電気応答性材料が表示用電極側に移動し、結果的に、表示用領域の共通電極１１１側（視認側）には黒色が表示される。また、その後表示用電極に第２電位を接続されることで、黒色の電気応答性材料及び白色の電気応答性材料は各々その場に静止し（厳密には重量等の影響により徐々には移動する）、結果的に、黒色の表示色が保持される。
【００６０】
また、電圧印加制御部１７は、表示書き換えタイミングにおいて、黒色から白色に表示色を切り替えるべき表示用領域に対応する表示用電極には、第３電位（−１５Ｖ）を第２時間長（３００ｍｓ）だけ接続し、その後第２電位（０Ｖ）を接続するようになっている。表示用電極に第３電位が第２時間長だけ接続されることで、正に帯電した黒色の電気応答性材料が表示用電極側に移動すると共に、負に帯電した白色の電気応答性材料が共通電極１１１側に移動し、結果的に、表示用領域の共通電極１１１側（視認側）には白色が表示される。また、その後表示用電極に第２電位を接続されることで、黒色の電気応答性材料及び白色の電気応答性材料は各々その場に静止し（厳密には重量等の影響により徐々には移動する）、結果的に、白色の表示色が保持される。
【００６１】
一方、電圧印加制御部１７は、表示書き換えタイミングにおいて、黒色の表示色をそのまま保持すべき表示用領域に対応する表示用電極には、第１電位（＋１５Ｖ）を第１時間長の５％〜３０％の時間長（１５ｍｓ〜９０ｍｓ）だけ接続し、その後第２電位（０Ｖ）を接続するようになっている。表示用電極に第１電位が第１時間長の５％〜３０％の時間長だけ接続されることで、重力等の影響により表示用電極側へと徐々に移動していた正に帯電した黒色の電気応答性材料が共通電極１１１側に移動すると共に、共通電極１１１側へと徐々に移動していた負に帯電した白色の電気応答性材料が表示用電極１６１ａ〜１６１ｄ側に移動し、結果的に、表示用領域の共通電極１１１側（視認側）には本来の黒色（すなわち、白色から黒色に切り替えた直後の黒色）が表示される。また、その後表示用電極に第２電位を接続されることで、黒色の電気応答性材料及び白色の電気応答性材料は各々その場に静止し（厳密には重量等の影響により徐々には移動する）、結果的に、黒色の表示色が保持される。
【００６２】
また、電圧印加制御部１７は、表示書き換えタイミングにおいて、白色の表示色をそのまま保持すべき表示用領域に対応する表示用電極には、第３電位（−１５Ｖ）を第２時間長の５％〜３０％の時間長（１５ｍｓ〜９０ｍｓ）だけ接続し、その後第２電位を接続するようになっている。表示用電極に第３電位が第２時間長の５％〜３０％の時間長だけ接続されることで、重力等の影響により表示用電極側へと徐々に移動していた負に帯電した白色の電気応答性材料が共通電極１１１側に移動すると共に、共通電極１１１側へと徐々に移動していた正に帯電した黒色の電気応答性材料が表示用電極１６１ａ〜１６１ｄ側に移動し、結果的に、当該表示用領域の共通電極１１１側（視認側）には本来の白色（すなわち、黒色から白色に切り替えた直後の白色）が表示される。また、その後表示用電極に第２電位を接続されることで、黒色の電気応答性材料及び白色の電気応答性材料は各々その場に静止し（厳密には重量等の影響により徐々には移動する）、結果的に、白色の表示色が保持される。
【００６３】
なお、「表示書き換えタイミング」とは、反射型表示装置１０において観察者に対して所望の表示画像を改めて表示するタイミング、という意味であり、例えばデジタル表示時計のように所定の周期（例えば１ｓ）で繰り返すタイミングであってもよいし、電卓のように手動で不規則的に与えられるタイミングであってもよい。
【００６４】
また、電圧印加制御部１７は、大きさＶの電圧を時間長Ｔだけ印加する場合、大きさＶの電圧を時間長Ｔだけ連続して印加するようになっていてもよいし、大きさＶで時間長（パルス幅）Ｗのパルス状の電圧をＴ／Ｗ回だけ印加するようになっていてもよい。
【００６５】
また、本実施の形態の電圧印加制御部１７は、第１色の表示色をそのまま保持する表示用領域に対応する表示用電極には、第１電位を第１時間長の５％〜３０％の時間長だけ説属し、その後第２電位を接続し、第２色の表示色をそのまま保持する表示用領域に対応する表示用電極には、第３電位を第２時間長の５％〜３０％の時間長だけ接続し、その後前記第２電位を接続する、という電圧印加を、次の表示書き換えタイミングまで所定の周期（例えば、３０ｍｉｎ〜１８０ｍｉｎ）で繰り返すようになっている。これにより、例えば日めくりカレンダのように表示書き換えの周期が比較的長い場合や、商品に付されるバーコードのように手動による表示書き換えの頻度が少ない場合に、反射型表示装置における表示状態（表示画像）の全体的な劣化を、次の表示書き換えタイミングまで効果的に抑制することができる。
【００６６】
次に、このような構成からなる反射型表示装置１０の駆動方法の一例について、図３（ａ）〜図３（ｄ）及び図４を参照して説明する。以下、各表示用領域１５ａ〜１５ｄを、それぞれ、第１乃至第４表示用領域１５ａ〜１５ｄともいう。
【００６７】
図３（ａ）〜図３（ｄ）は、それぞれ、本実施の形態による反射型表示装置１０に表示される表示画像の一例を示す概略図である。図４は、図３（ａ）〜図３（ｄ）に示す表示画像をこの順序で切り替える際に、各表示用電極１６１ａ〜１６１ｄに印加される電圧の波形を示す概略図である。
【００６８】
本実施の形態において、初期状態では、図３（ａ）に示すような初期画像が表示されている。すなわち、第１表示用領域１５ａ及び第２表示用領域１５ｂには白色が表示されており、第３表示用領域１５ｃ及び第４表示用領域１５ｄには黒色が表示されている。各表示用領域１５ａ〜１５ｄに対応する各表示用電極１６１ａ〜１６１ｄは、第２電位（例えば、０Ｖ）を接続されている。
【００６９】
まず、図３（ａ）に示される初期画像から、図３（ｂ）に示される第１の画像に書き換える工程、すなわち、第２表示用領域１５ｂの表示色及び第４表示用領域１５ｄの表示色をそのまま保持しながら、第１表示用領域１５ａの表示色を白色から黒色に切り替え、第３表示用領域１５ｃの表示色を黒色から白色に切り替える工程を説明する。
【００７０】
この場合、図４に示すように、表示書き換えタイミングにおいて一斉に、電圧印加制御部１７が、第１表示用領域１５ａに対応する表示用電極１６１ａには、第１電位（例えば、＋１５Ｖ）を第１時間長（例えば、３００ｍｓ）だけ接続し、その後第２電位を接続する。これにより、第１表示用領域１５ａの表示色は、白色から黒色に切り替わる。また、第３表示用領域１５ｃに対応する表示用電極１６１ｃには、第２電位に対して第１電位とは逆極性の第３電位（例えば、−１５Ｖ）を第２時間長（例えば、３００ｍｓ）だけ接続し、その後第２電位を接続する。これにより、第３表示用領域１５ｃの表示色は、黒色から白色に切り替わる。一方、第２表示用領域１５ｂに対応する表示用電極１６１ｂには、第３電位（すなわち、−１５Ｖ）を第２時間長の５％〜３０％の時間長（すなわち、１５ｍｓ〜９０ｍｓ）だけ接続し、その後第２電位を接続する。これにより、第２表示用領域１５ｂの表示色は、本来の白色を回復する。また、第４表示用領域１５ｄに対応する表示用電極１６１ｄには、第１電位（すなわち、＋１５Ｖ）を第１時間長の５％〜３０％の時間長（すなわち、１５ｍｓ〜９０ｍｓ）だけ接続し、その後第２電位を接続する。これにより、第４表示用領域１５ｄの表示色は、本来の黒色を回復する。
【００７１】
次に、図３（ｂ）に示される第１の画像から、図３（ｃ）に示される第２の画像に書き換える工程、すなわち、第１表示用領域１５ａ及び第４表示用領域１５ｄの表示色を黒色から白色に切り替え、第２表示用領域１５ｂ及び第３表示用領域１５ｃの表示色を白色から黒色に切り替える工程を説明する。
【００７２】
この場合、図４に示すように、次の表示書き換えタイミングにおいて一斉に、電圧印加制御部１７が、第１表示用領域１５ａに対応する表示用電極１６１ａ及び第４表示用領域１５ｄに対応する表示用電極１６１ｄには、それぞれ、第３電位（すなわち、−１５Ｖ）を第２時間長（すなわち、３００ｍｓ）だけ接続し、その後第２電位を接続する。これにより、第１表示用領域１５ａの表示色及び第４表示用領域１５ｄの表示色は、それぞれ、黒色から白色に切り替わる。また、第２表示用領域１５ｂに対応する表示用電極１６１ｂ及び第３表示用領域１５ｃに対応する表示用電極１６１ｃには、それぞれ、第１電位（すなわち、＋１５Ｖ）を第１時間長（すなわち、３００ｍｓ）だけ接続し、その後第２電位を接続する。これにより、第２表示用領域１５ｂの表示色及び第３表示用領域１５ｃの表示色は、それぞれ、白色から黒色に切り替わる。
【００７３】
次に、図３（ｃ）に示される第２の画像から、図３（ｄ）に示される第３の画像に書き換える工程、すなわち、第２表示用領域１５ｂの表示色及び第４表示用領域１５ｄの表示色をそのまま保持しながら、第１表示用領域１５ａの表示色を白色から黒色に切り替え、第３表示用領域１５ｃの表示色を黒色から白色に切り替える工程を説明する。
【００７４】
この場合、図４に示すように、次の表示書き換えタイミングにおいて一斉に、電圧印加制御部１７が、第１表示用領域１５ａに対応する表示用電極１６１ａには、第１電位（すなわち、＋１５Ｖ）を第１時間長（すなわち、３００ｍｓ）だけ接続し、その後第２電位を接続する。これにより、第１表示用領域１５ａの表示色は、白色から黒色に切り替わる。また、第３表示用領域１５ｃに対応する表示用電極１６１ｃには、第３電位（すなわち、−１５Ｖ）を第２時間長（すなわち、３００ｍｓ）だけ接続し、その後第２電位を接続する。これにより、第３表示用領域１５ｃの表示色は、黒色から白色に切り替わる。一方、第２表示用領域１５ｂに対応する表示用電極１６１ｂには、第１電位（すなわち、＋１５Ｖ）を第１時間長の５％〜３０％の時間長（すなわち、１５ｍｓ〜９０ｍｓ）だけ接続し、その後第２電位を接続する。これにより、第２表示用領域１５ｂの表示色は、本来の黒色を回復する。また、第４表示用領域１５ｄに対応する表示用電極１６１ｄには、第３電位（すなわち、−１５Ｖ）を第２時間長の５％〜３０％の時間長（すなわち、１５ｍｓ〜９０ｍｓ）だけ接続し、その後第２電位を接続する。これにより、第４表示用領域１５ｄの表示色は、本来の白色を回復する。
【００７５】
図示されていないが、その後、次の表示書き換えタイミングまで、電圧印加制御部１７が、第１表示領域１５ａに対応する表示用電極１６１ａ及び第２表示領域１５ｂに対応する表示用電極１６１ｂには、それぞれ、第１電位（すなわち、＋１５Ｖ）を第１時間長の５％〜３０％の時間長（すなわち、１５ｍｓ〜９０ｍｓ）だけ接続し、その後第２電位を接続し、第３表示領域１５ｃに対応する表示用電極１６１ｃ及び第４表示領域１５ｄに対応する表示用電極１６１ｄには、それぞれ、第３電位（すなわち、−１５Ｖ）を第２時間長の５％〜３０％の時間長（すなわち、１５ｍｓ〜９０ｍｓ）だけ接続し、その後第２電位を接続する、という電圧印加を、所定の周期（例えば、３０ｍｉｎ〜１８０ｍｉｎ）で繰り返す。これにより、図３（ｄ）に示される第３の画像の劣化が、次の表示書き換えタイミングまで効果的に抑制される。
【００７６】
次に、具体的な実施例（評価実験結果）について説明する。
【００７７】
まず、本実施の形態による第１実施例として、１００個の表示用領域に対応する各表示用電極に、＋１５Ｖ（第１電位）を３００ｍｓ（第１時間長）だけ接続し、その後０Ｖ（第２電位）を接続することで、各表示用領域の表示色を黒色とした。そして、各表示用領域の反射率を測定し、測定結果を基準値として記憶した。
【００７８】
次に、各表示用電極に第２電位を接続したまま５時間放置した後、各表示用電極に第１電位を第１時間長の３０％の時間長（すなわち、９０ｍｓ）だけ接続し、その後第２電位を接続した。そして、各表示用領域の反射率を測定したところ、本来の表示色（黒色）を回復できた表示用領域（すなわち、測定結果が基準値に対して１％以内の差である表示用領域）の数は、１００個であった。
【００７９】
次に、本実施の形態による第２実施例として、２回目の第１電位の接続時間長を第１時間長の２０％（すなわち、６０ｍｓ）に変更する以外は第１実施例と同様の工程を繰り返して、各表示用領域の反射率を測定したところ、本来の表示色（黒色）を回復できた表示用領域の数は、９９個であった。
【００８０】
次に、本実施の形態による第３実施例として、２回目の第１電位の接続時間長を第１時間長の１０％（すなわち、３０ｍｓ）に変更する以外は第１実施例と同様の工程を繰り返して、各表示用領域の反射率を測定したところ、本来の表示色（黒色）を回復できた表示用領域の数は、９８個であった。
【００８１】
次に、本実施の形態による第４実施例として、２回目の第１電位の接続時間長を第１時間長の５％（すなわち、１５ｍｓ）に変更する以外は第１実施例と同様の工程を繰り返して、各表示用領域の反射率を測定したところ、本来の表示色（黒色）を回復できた表示用領域の数は、９５個であった。
【００８２】
次に、第１比較例として、２回目の第１電位の接続時間長を第１時間長の４％（すなわち、１２ｍｓ）に変更する以外は第１実施例と同様の工程を繰り返して、各表示用領域の反射率を測定したところ、本来の表示色（黒色）を回復できた表示用領域の数は、８５個であった。
【００８３】
次に、第２比較例として、２回目の第１電位の接続時間長を第１時間長の４０％（すなわち、１２０ｍｓ）に変更する以外は第１実施例と同様の工程を繰り返して、各表示用領域の反射率を測定したところ、本来の表示色（黒色）を回復できた表示用領域の数は、１００個であった。
【００８４】
以上の結果を、図５にまとめて示す。ここで、以上の結果は、放置時間（５時間）を１時間に短縮したり、３日間に延長しても変わらなかった。
【００８５】
以上の結果によれば、黒色の表示色をそのまま保持すべき１００個の表示用領域に対応する表示用電極に、白色の表示色から黒色の表示色に切り替えるために必要な電圧印加の時間長の５％の時間長だけ電圧を印加した場合、９５個の表示用領域が本来の表示色（すなわち白色の表示色から黒色の表示色に切り替えた直後の黒色の表示色）を回復できた。具体的には、表示用領域の反射率が、白色の表示色から黒色の表示色に切り替えた直後の反射率に対して１％以内の差であれば、本来の表示色を回復できたと評価し、１％より大きい差であれば、本来の表示色を回復できなかったと評価した。その時間長を４％に変更した場合、８５個の表示用領域しか本来の表示色を回復できなかった。
【００８６】
以上の結果から、黒色の表示色をそのまま保持する場合、５％（すなわち、１５ｍｓ）という数値には、電子回路の寿命低下及び消費電力の増大をそれぞれ抑制しながら、各表示用領域における表示色の劣化を抑制できる、という臨界的意義があると言える。また、３０％（すなわち、９０ｍｓ）より大きい数値範囲では、各表示用領域における表示色の劣化を抑制できるという点では効果が変わらず、むしろ、電圧印加が過剰であって、電子回路の寿命低下及び消費電力の増大を抑制できていないと言える。
【００８７】
次に、本実施の形態による第５実施例として、１００個の表示用領域に対応する各表示用電極に、−１５Ｖ（第３電位）を３００ｍｓ（第２時間長）だけ接続し、その後０Ｖ（第２電位）を接続することで、各表示用領域の表示色を白色とした。そして、各表示用領域の反射率を測定し、測定結果を基準値として記憶した。
【００８８】
次に、各表示用電極に第２電位を接続したまま５時間放置した後、各表示用電極に第３電位を第２時間長の３０％の時間長（すなわち、９０ｍｓ）だけ接続し、その後第２電位を接続した。そして、各表示用領域の反射率を測定したところ、本来の表示色（白色）を回復できた表示用領域（すなわち、測定結果が基準値に対して１％以内の差である表示用領域）の数は、１００個であった。
【００８９】
次に、本実施の形態による第６実施例として、２回目の第３電位の接続時間長を第２時間長の２０％（すなわち、６０ｍｓ）に変更する以外は第５実施例と同様の工程を繰り返して、各表示用領域の反射率を測定したところ、本来の表示色（白色）を回復できた表示用領域の数は、９９個であった。
【００９０】
次に、本実施の形態による第７実施例として、２回目の第３電位の接続時間長を第２時間長の１０％（すなわち、３０ｍｓ）に変更する以外は第５実施例と同様の工程を繰り返して、各表示用領域の反射率を測定したところ、本来の表示色（白色）を回復できた表示用領域の数は、９８個であった。
【００９１】
次に、本実施の形態による第８実施例として、２回目の第３電位の接続時間長を第２時間長の５％（すなわち、１５ｍｓ）に変更する以外は第５実施例と同様の工程を繰り返して、各表示用領域の反射率を測定したところ、本来の表示色（白色）を回復できた表示用領域の数は、９５個であった。
【００９２】
次に、第３比較例として、２回目の第３電位の接続時間長を第２時間長の４％（すなわち、１２ｍｓ）に変更する以外は第５実施例と同様の工程を繰り返して、各表示用領域の反射率を測定したところ、本来の表示色（白色）を回復できた表示用領域の数は、８５個であった。
【００９３】
次に、第４比較例として、２回目の第３電位の接続時間長を第２時間長の４０％（すなわち、１２０ｍｓ）に変更する以外は第５実施例と同様の工程を繰り返して、各表示用領域の反射率を測定したところ、本来の表示色（白色）を回復できた表示用領域の数は、１００個であった。
【００９４】
以上の結果を、図６にまとめて示す。ここで、以上の結果は、放置時間（５時間）を１時間に短縮したり、３日間に延長しても変わらなかった。
【００９５】
以上の結果によれば、白色の表示色をそのまま保持すべき１００個の表示用領域に対応する表示用電極に、黒色の表示色から白色の表示色に切り替えるために必要な電圧印加の時間長の５％の時間長だけ電圧を印加した場合、９５個の表示用領域が本来の表示色（すなわち黒色の表示色から白色の表示色に切り替えた直後の白色の表示色）を回復できた。具体的には、表示用領域の反射率が、黒色の表示色から白色の表示色に切り替えた直後の反射率に対して１％以内の差であれば、本来の表示色を回復できたと評価し、１％より大きい差であれば、本来の表示色を回復できなかったと評価した。その時間長を４％に変更した場合、８５個の表示用領域しか本来の表示色を回復できなかった。
【００９６】
以上の結果から、白色の表示色をそのまま保持する場合も、５％（すなわち、１５ｍｓ）という数値には、電子回路の寿命低下及び消費電力の増大をそれぞれ抑制しながら、各表示用領域における表示色の劣化を抑制できる、という臨界的意義があると言える。また、３０％（すなわち、９０ｍｓ）より大きい数値範囲では、各表示用領域における表示色の劣化を抑制できるという点では効果が変わらず、むしろ、電圧印加が過剰であって、電子回路の寿命低下及び消費電力の増大を抑制できていないと言える。
【００９７】
すなわち、以上のような本実施の形態によれば、表示色をそのまま保持すべき表示用領域１５ａ〜１５ｄに対応する表示用電極１６１ａ〜１６１ｄに、他の表示色からその表示色に切り替えるために必要な電圧印加の時間長の５％〜３０％の時間長だけ電圧を印加することで、電子回路の寿命低下及び消費電力の増大をそれぞれ抑制しながら、各表示用領域１５ａ〜１５ｄにおける表示色の劣化を抑制できる。
【００９８】
より好ましくは、黒色の表示色をそのまま保持する表示用領域に対応する表示用電極には、第１電位（すなわち、＋１５Ｖ）を第１時間長の５％〜２０％の時間長（すなわち、１５ｍｓ〜６０ｍｓ）だけ接続し、その後第２電位を接続し、白色の表示色をそのまま保持する表示用領域に対応する表示用電極には、第３電位（すなわち、−１５Ｖ）を第２時間長の５％〜２０％の時間長（すなわち、１５ｍｓ〜６０ｍｓ）だけ接続し、その後第２電位を接続する。この場合、前述の検証結果によれば、表示色の劣化を抑制できない表示用領域が１％ほど生じるものの、電子回路の寿命低下及び消費電力の増大をそれぞれ更に１０％ほど抑制することができる。
【符号の説明】
【００９９】
１０      反射型表示装置
１１      一方の基板
１１１    共通電極
１２      隔壁
１３      表示媒体
１５ａ    表示用領域
１５ｂ    表示用領域
１５ｃ    表示用領域
１５ｄ    表示用領域
１６      他方の基板
１６１ａ  表示用電極
１６１ｂ  表示用電極
１６１ｃ  表示用電極
１６１ｄ  表示用電極
１７      電圧印加制御部
【図１】
2015169902.tif 000003
【図２】
2015169902.tif 000004
【図３】
2015169902.tif 000005
【図４】
2015169902.tif 000006
【図５】
2015169902.tif 000007
【図６】
2015169902.tif 000008